(57)【特許請求の範囲】
【請求項１】
上下枠と左右の縦枠とを方形に枠組みしてなる窓枠の内側に障子を開閉可能に配置し、上記窓枠の開口部に防虫用の網体を取り付けるサッシの網体取付構造において、
上記網体の互いに対向する２つの縁辺部にアタッチメントを取り付け、上記２つの縁辺部を、アタッチメントを介して上記窓枠の対応する枠材の屋外側に形成した取付部に着脱可能に取り付けるとともに、
上記窓枠の対応する枠材と隣り合って互いに対向する他の２つの枠材の屋外側に凹溝を互いに向き合いに形成し、上記網体の２つの縁辺部に隣り合って互いに対向する他の２つの縁辺部を上記凹溝内に納めるとともに、上記網体の縁辺部を押え部材によって保持し、
上記押え部材は、押え材と、該押え材上にスライド可能に設けられて、スライド移動により上記押え材を上記枠材に着脱させるスライド部材とを備えていることを特徴とするサッシの網体取付構造。
【請求項２】
上記押え部材は上記凹溝を有する２つの枠材に着脱自在に設けたことを特徴とする、請求項１に記載のサッシの網体取付構造。
【請求項３】
上記押え部材には、上記凹溝内に納められた網体の縁辺部を凹溝の屋外側の溝壁に押圧可能な押え片が形成されたことを特徴とする、請求項１又は２に記載のサッシの網体取付構造。
【発明の詳細な説明】
【技術分野】
【０００１】
本発明は防虫用の網体の周縁部を窓枠の開口部に隙間なく取り付けたサッシの網体取付構造に関する。
【背景技術】
【０００２】
一般に、辷り出し窓や平行窓に代表される開き窓のように、障子が屋外側に突出して開閉作動する構造のサッシでは、障子の開閉の邪魔にならないように、網戸は障子の屋内側に配置されている（特許文献１参照）。
【０００３】
さらに、最近の開き窓サッシにおいては、障子の框を窓枠で覆った隠し框タイプのサッシも提案実施されている。このようなサッシでは、障子と窓枠との間に屋内外方向にあまり間隔を取るのは望ましくない。間隔が広いと、障子の框が屋内側から見えやすくなるからである。そこで、これに対応し、網戸を窓枠の屋外側ではなく、窓枠の開口部に直接に取り付けることが行なわれている。
【０００４】
ところが、網戸は網体を框組みしているので、窓枠の開口部の内側に網戸を配置することになると、窓枠の開口部が網戸の框によって狭く小さくなるという問題がある。この問題を解決するものとして、網体を框組みせず、網体の両側の側縁部に合成樹脂製のアタッチメントを取り付け、網体の両端を窓枠の互いに対向する枠材に形成した取付溝に嵌合して固定する取付構造が考えられる。これによれば、窓枠の開口部を狭小にすることがなく、網戸自体のサッシの外観も向上させることができるという効果が得られる。
【特許文献１】特開２０００−３２０２５０公報
【発明の開示】
【発明が解決しようとする課題】
【０００５】
しかしながら、網体の２つの縁辺部のみを窓枠に取り付ける構造では、上記２つの縁辺部と隣り合う他の２つの縁辺部はフリーになっているので、これらの２つの縁辺部と窓枠との間に隙間が生じる可能性がある。
【０００６】
本発明は上記問題点を解消し、窓枠の開口部を狭小にすることがなく、しかも網体の周縁部を窓枠に隙間なく取り付けることができるサッシの網体取付構造を提供することをその課題とする。
【課題を解決するための手段】
【０００７】
前記課題を解決するため、請求項１に係るサッシの網体取付構造は、上下枠と左右の縦枠とを方形に枠組みしてなる窓枠の内側に障子を開閉可能に配置し、上記窓枠の開口部に防虫用の網体を取り付けるサッシの網体取付構造において、上記網体の互いに対向する２つの縁辺部にアタッチメントを取り付け、上記２つの縁辺部を、アタッチメントを介して上記窓枠の対応する枠材の屋外側に形成した取付部に着脱可能に取り付けるとともに、上記窓枠の対応する枠材と隣り合って互いに対向する他の２つの枠材の屋外側に凹溝を互いに向き合いに形成し、上記網体の２つの縁辺部に隣り合って互いに対向する他の２つの縁辺部を上記凹溝内に納めるとともに、上記網体の縁辺部を押え部材によって保持し、上記押え部材は、押え材と、該押え材上にスライド可能に設けられて、スライド移動により上記押え材を上記枠材に着脱させるスライド部材とを備えていることを特徴とする。
【０００８】
請求項２に係る発明は、請求項１において、上記押え部材は上記凹溝を有する２つの枠材に着脱自在に設けたことを特徴とする。
【０００９】
請求項３に係る発明は、請求項１又は２において、上記押え部材には、上記凹溝内に納められた網体の縁辺部を凹溝の屋外側の溝壁に押圧可能な押え片が形成されたことを特徴とする。
【発明の効果】
【００１０】
請求項１に係る発明によれば、網体の互いに対向する２つの縁辺部はアタッチメントを介して窓枠の対応する枠材に取り付けられているとともに、上記網体の上記２つの縁辺部に隣り合って互いに対向する他の２つの縁辺部は、窓枠の対向する２つの枠材に形成された凹溝内に納められて保持されるので、網体の周縁部は窓枠の開口部に隙間なく張設される。したがって、確実に虫の侵入を防止することができる。
【００１１】
また、網体の取付溝と凹溝はそれぞれ枠体の屋外側に形成されているから、アタッチメントを含め、網体の周縁部は屋内側からはほとんど見えず、また開口部も狭小にならず、サッシの内外観も向上させることができる。
【００１２】
また、押え部材は、押え材と、該押え材上にスライド可能に設けられて、スライド移動により上記押え材を上記枠材に着脱させるスライド部材とを備えているので、スライド部材をスライドさせることにより、押え材を枠材に取り付けたり取り外したりすることができるので、操作が容易であるとともに見栄えがよい。
【００１３】
請求項２に係る発明によれば、押え部材は上記他の対向する２つの枠材に着脱自在に設けられているので、押え部材を取り外すことによって網体を保守したり、交換したりすることができる。
【００１４】
請求項３に係る発明によれば、上記押え部材には、上記凹溝内に納められた網体の縁辺部を凹溝の屋外側の溝壁に押圧可能な押え片が形成されているので、網体をしっかりと保持溝内に保持することができる。
【発明を実施するための最良の形態】
【００１５】
本発明の実施形態を図１及び図２の断熱サッシについて説明する。上記断熱サッシは壁躯体１の開口部Ａに嵌め込まれた窓枠２と、この窓枠２の屋外側に水平方向に突出して開閉可能に配置された障子３とから構成された縦辷り出し窓で、公知のリンク機構によって障子３が屋外側に開き移動するように構成されている。
【００１６】
壁躯体１は建物の躯体構造材の屋外側に配置された屋外壁１ａと室内側に配置された室内壁１ｂとからなり、屋外壁１ａはＡＬＣ（軽量発泡コンクリート）材によって、また、室内壁１ｂは屋外壁１ａの屋内側に張設された断熱材４とその屋内側に張設された内装材５とによって構成されている。
【００１７】
障子３は、金属製の框材、つまり上框３ａと下框３ｂと左右の縦框３ｃとを框組みすることによって構成されている。框の内側にはペアガラス６が嵌め込まれている。
【００１８】
窓枠２は、屋外側の金属製の金属枠と屋内側の合成樹脂製の樹脂枠とを一体に結合した複合窓枠である。金属枠は金属上枠７と金属下枠８と左右の金属縦枠９とを方形に枠組みしたもので、屋外側には障子３が収納されている。また、上記金属枠は開口部Ａを構成する屋外壁１ａなどの躯体構造材に取付けることにより、金属枠の内周面と屋内側面は屋内側に露出する。そこで、断熱性を確保するため、この内周面には合成樹脂製の樹脂枠が結合されている。すなわち、樹脂枠は樹脂上枠１１と樹脂下枠１２と左右の樹脂縦枠１３とを方形に枠組みしたもので、樹脂上枠１１は金属上枠７の係止溝１４に係止片１５を係止させ、当接片１６を金属上枠７の障子収納部を構成する垂下片１７に当接させてネジ止め固定されている。樹脂下枠１２は金属下枠８の係止溝１８に係止片２０を係止させ、背面側上部の係止溝２１を金属下枠８の障子収納部を構成する起立片２２の上端に係止して固定されている。樹脂縦枠１３は、金属縦枠９の障子収納部を構成する屋内片２３に当接してネジ止めし、金属縦枠９の屋内側の係止部２４に係止部２５を係止させて固定している。
【００１９】
このように、上下及び左右の枠材はそれぞれ金属と合成樹脂とから構成され、障子３が閉じている状態では樹脂枠のみが屋内側に露出するようになっている。
【００２０】
なお、樹脂枠の屋内側には張出縁２６が突出形成され、室内壁１ｂの一部で躯体開口部Ａの屋内側周縁部に設けられた木製額縁２７に固定されている。
【００２１】
また、上記樹脂枠の内周に形成された開口部と額縁２７によって形成された開口部とは躯体開口部Ａとほぼ屋内外方向に略面一になるように配置されている。
【００２２】
そして、障子３の閉鎖時には、樹脂枠は障子３の框材３ａ、３ｂ、３ｃの屋内側見付面を覆うように配置されている。そして、障子３の開口部（ペアガラス６の面）と樹脂枠の内周に形成された開口部とはほぼ屋内外方向に略面一になるように構成されている。
【００２３】
次に、上記障子３と窓枠２とはリンク機構を介して連結され、屋内側に設けられたオペレータ本体のハンドル２９を回転操作することにより障子３の一側を屋外側に移動して開き又は閉じ作動するようになっている。
【００２４】
上記構成によれば、樹脂枠によって障子３の框材３ａ、３ｂ、３ｃの屋内側見付面を覆い、さらに樹脂枠を室内壁１ｂで覆うようにしたので、樹脂枠と室内壁１ｂとにより断熱構造が構成され、たとえ障子３の框材を金属製の框材のみで構成したとしても、障子３の框材からの熱は樹脂枠と室内壁１ｂとによって断熱される。また、障子３の金属製框は、室内側からは樹脂枠によって覆われ、見えにくいようになっているので、内観が良好である。
【００２５】
なお、樹脂縦枠１３の屋外側には、開口部Ａの中心側に開口する取付溝３１（取付部）が形成されている。
【００２６】
次に、上記窓枠２の開口部には防虫用の網体３０が張設されている。すなわち、図３及び図４に示されるように、網体３０は合成樹脂製で、その周縁部は面状に形成され、さらにその端縁には膨突部３２が形成されている。網体３０の周縁部を膨突させるには、網体３０の縁辺部３０ａ、３０ｂに膨突部３２を有する合成樹脂製の帯板材（図示せず）を溶着すればよいが、他の方法によってもよい。網体３０の上下寸法は、樹脂枠によって形成された開口部に設けられた樹脂上枠１１と樹脂下枠１２との間の寸法よりも少し大きくなるように形成されている。
【００２７】
網体３０の左右両側に対向する２つの縁辺部３０ａ、３０ｂ（図２参照）にはアタッチメント３３が取り付けられている。アタッチメント３３は合成樹脂製部材で、上記網体３０の２つの縁辺部３０ａ、３０ｂを飲み込む飲込み部３４と、上記縁辺部３０ａ、３０ｂの端部にそれぞれ形成された膨突部３２に係止する挟持部３５と、上記取付溝３１に嵌合する嵌合部３６とから構成されている。
【００２８】
網体３０を窓枠２に取り付けるときは、図４に示されるように、網体３０の両端をアタッチメント３３を介して樹脂縦枠１３の取付溝３１に嵌合して固定する。アタッチメント３３を屋外側に押し込むと、取付溝３１から外すことができる。
【００２９】
上述のように、障子３の框材３ａ、３ｂ、３ｃの屋内側の見付け面は樹脂枠によって覆われ、また、網体３０は樹脂枠に設けられた取付溝３１に取り付けられるから、外から目立たないとともに、網体３０の取り付けによって窓枠２の樹脂枠の内側に構成された開口部Ａが狭小になることがない。
【００３０】
また、取付溝３１は屋外側に開口されているので、アタッチメント３３はほとんど見えなくなるから、サッシ全体の外観が向上する。
【００３１】
次に、図３、図５及び図６に示されるように、網体３０のアタッチメント３３を設けていない側の上下の縁辺部３０ｃ、３０ｄは、樹脂上枠１１と樹脂下枠１２とに押え部材３７を介して保持されている。
【００３２】
すなわち、樹脂上枠１１の張出縁２６の屋外側には垂直の側壁部３８を介して水平の取付面４０が形成されている。取付面４０の屋内側にはＬ字側の係合縁４１が垂下形成され、中央部には断面Ｔ字形のレール部４２が形成されている。レール部４２の長手の両端近傍は切り欠かれている。また、取付面４０の屋外側には下向きに開口した凹溝４３が形成されている。凹溝４３の屋外側の溝壁４４は取付面４０よりも高くなっているが、その先端（下端）はレール部４２とほぼ同じ高さ位置になっている。
【００３３】
樹脂下枠１２の張出縁２６の屋外側には垂直の側壁部４５を介して水平の取付面４０が形成されている。取付面４０の屋内側にはＬ字側の係合縁４１が立ち上げ形成され、中央部には断面Ｔ字形のレール部４２が形成されている。レール部４２の長手の両端近傍は切り欠かれて切欠部４７（図６参照）が形成されている。また、取付面４０の屋外側には上向きに開口した凹溝４３が形成されている。凹溝４３の屋外側の溝壁４４は取付面４０よりも高くなっているが、その先端（上端）はレール部４２とほぼ同じ高さ位置になっている。なお、樹脂上枠１１の対応位置にも切欠部（図示せず）が形成されている。
【００３４】
網体３０の上下の縁辺部３０ｃ、３０ｄは樹脂上枠１１と樹脂下枠１２の凹溝４３に納められ、押え部材３７によって凹溝４３に押圧保持されている。
【００３５】
押え部材３７は押え材４８と固定ガイド５０とスライド部材５１とから構成されている。押え材４８は合成樹脂製部材で、水平の細長板状部５２とその屋内外側端部から突出した脚部５３とにより断面を略コ字形に形成し、屋内側の脚部５３の先端には屋内側に係合突部５４を形成し、さらに屋外側の脚部５３の基部から屋外側に弾性を有する押え片５５を斜めに突出形成したものである。押え材４８は樹脂下枠１２と略同じ長さに形成され、細長板状部５２の長手の両端近傍には長方形の開口部５６が形成されている。
【００３６】
固定ガイド５０は押え材４８の開口部５６に係止装着された長方形の合成樹脂製板状部材で、図７に示されるように、長手の両端からは係止片５７が板面と直角になるように突出形成され、中央部には長方形の開口部５８が形成されている。開口部５８の短辺からはそれぞれ１対の係止舌片５９が互いに向き合うように形成されている。各係止舌片５９の先端部近傍には外側に突部６０が形成されている。
【００３７】
スライド部材５１は図６、図７に示されるように、板状部６１の下方に垂直部６２と水平部６３とからなる１対のＬ字形の係合片６４を対向するように形成したもので、係合片６４の幅は上記樹脂上枠１１と樹脂下枠１２のレール部４２に設けられた切欠部４７及び上記固定ガイド５０の係止舌片５９間の間隔よりもやや小さくなるように設定されている。また、垂直部６２の外側には顎部６５が形成され、内側の中央部には縦溝６６が形成されている。さらに、水平部６３の上面６３ａは、その一端が高く、他端に向かって低くなるように傾斜している。このため、板状部６１の下面と水平部６３の上面６３ａとの間の間隔は一方が広く他方が狭くなっている。
【００３８】
次に、網体３０の上下の縁辺部３０ｃ、３０ｄを押え部材３７を介して樹脂下枠１２に装着するときは、まず図５〜図７に示すように、上記押え材４８の開口部５６に係止装着された固定ガイド５０の両側の係止舌片５９の間にスライド部材５１の係合片６４を挿入し、両係合片６４の外側の顎部６５を固定ガイド５０の開口部５８の縁に係合させ、固定ガイド５０の長手方向にスライド可能とする。そして、押え部材３７を樹脂下枠１２に取り付けるときは、上記押え材４８を図５に示すように、スライド部材５１の係合片６４を樹脂下枠１２のレール部４２の切欠部４７に対応させて押え材４８を取付面４０上に載せ、さらに屋内側に移動させて押え材４８の脚部５３の係合突部５４を取付面４０の屋内側の係合縁４１に係合させる。次に、図８（ａ）（ｂ）に示されるように、スライド部材５１をレール部４２に沿ってスライドさせる。スライド部材５１の１対の係合片６４は断面がＴ字形のレール部４２に上方に抜け出し不可能に係合するとともに、係合片６４の水平部の上面６３ａの高さは異なるので、スライド方向に進む毎にレール部４２ときつく当接する。そして、スライドの移動端で係合片６４の内側の縦溝６６が固定ガイド５０の係止舌片５９の突部６０と係止し、ここで押え部材３７はガタつきなく安定する。
【００３９】
そして、押え部材３７が上述のように樹脂上枠１１に取り付けられたとき、押え部材３７の屋外側の押え片５５が、図５に示すように、凹溝４３に納められた網体３０の下部縁辺部３０ｄを凹溝４３の屋外側の溝壁４３ａに押圧して保持する。なお、押え片５５は網体３０を押圧して保持するだけではない。網体３０の縁辺部３０ｄが凹溝４３から抜け出そうになっても、押え片５５の先端が上記縁辺部の膨突部３２に係止するので、それ以上は抜け出し方向に移動することができないので、抜け出しが防止できる。また、上記押え片５５を凹溝４３内に押し込むときに網体３７に張力が作用するので、網体３７に撓みが生じるのを防止することができる。
【００４０】
同じ要領で、樹脂上枠１１に押え部材３７を介して網体３０の上部縁辺部を押圧保持することができる。
【００４１】
なお、網体３０を保守したり、交換したり、あるいは冬季などのように網体３０が不要なときは、押え部材３７を取り外す必要がある。この場合は、両側のスライド部材５１を取り付け時とは逆方向にスライドさせ、係合片６４を切欠部４７まで移動させる。次に、押え部材３７を屋外側に少し移動させて押え材４８の脚部５３の係合突部５４と取付面４０の係合縁４１との係合を解除させれば簡単に取り外すことができる。
【００４２】
上述のように、網体３０の左右両側の縁辺部はアタッチメント３３を介して窓枠２の樹脂縦枠１３に取り付けられ、また上下の縁辺部３０ｃ、３０ｄは押え部材３７を介して樹脂上枠１１と樹脂下枠１２に保持されるので、網体３０の周縁部は樹脂枠に対して隙間のない状態で取り付けられる。したがって、虫の侵入を確実に防止することができる。
【００４３】
また、網体３０の取付溝３１と凹溝４３はそれぞれ樹脂枠の屋外側に形成されているから、アタッチメント３３を含めて網体３０の周縁部は屋内側からはほとんど見えず、また開口部Ａも狭小にならず、サッシの内外観も向上させることができる。
【００４４】
さらに、押え部材３７は着脱自在に設けられているので、押え部材３７を取り外すことによって網体３０を保守したり、交換したりすることができる。
【００４５】
しかも、押え部材３７は、上記押え片５５を有する押え材４８と、該押え材４８上にスライド可能に設けられて、スライド移動により上記押え材４８を上記枠材に着脱させるスライド部材５１とを備えているので、スライド部材５１をスライドさせることにより、押え材４８を枠材に取り付けたり取り外したりすることができるので、操作が容易であるとともに見栄えがよい。
【００４６】
また、冬場などのように、網体３０を使用する必要がないときは、網体３０を取り外し、さらに丸めて適当な場所に収納しておけばよいので、収納にスペースを必要としない。
【００４７】
さらに、上記網体取付構造は、縦辷り出し窓だけでなく、平行窓や横辷り出し窓等の窓にも適用することができる。
【図面の簡単な説明】
【００４８】
【図１】本発明に係るサッシの要部の縦断面図
【図２】上記サッシの要部の横断面図
【図３】アタッチメントを取り付けた状態の網体の斜視図
【図４】アタッチメントに対する網体の取付状態を示す縦断面図
【図５】樹脂枠に対する網体の取付状態を示す縦断面図
【図６】樹脂下枠とともに示す押え部材の分解斜視図
【図７】固定ガイドとスライド部材の要部の分解斜視図
【図８】（ａ）（ｂ）はスライド部材の取付態様説明図
【符号の説明】
【００４９】
２    窓枠
３    障子
３０  網体
３１  取付溝
３３  アタッチメント
３７  押え部材
４３  凹溝
【図１】
0005039488.tif 000002
【図２】
0005039488.tif 000003
【図３】
0005039488.tif 000004
【図４】
0005039488.tif 000005
【図５】
0005039488.tif 000006
【図６】
0005039488.tif 000007
【図７】
0005039488.tif 000008
【図８】
0005039488.tif 000009